(57)【要約】【課題】トップスやトップスとボトムとを人間が着たような状態で掛け、コーディネイトを確認することができるハンガー又はハンガーセットを提供することを課題としている。【解決手段】衣服吊り用の左右に突出するアーム７を備えたトップスを掛けることができるハンガーの本体２の上方部分に、表面側に突出する突起部４を設け、本体２の裏面側に、上記突起部４と係合する係合部６を設け、所定のハンガーの突起部４と他のハンガーの係合部６とを係合させることによって両ハンガーを前後方向に連結する。このハンガー１にボトムを掛けることができるボトム用ハンガー４１を係止する係止部１４を設け、ハンガー１とボトム用ハンガー４１とを含めてハンガーセットとする。【選択図】図１
2007282742.tif 000002
【特許請求の範囲】
【請求項１】
衣服吊り用の左右に突出するアーム（７）を備えた本体（２）からなり、トップスを掛けることができるハンガーにおいて、本体（２）の上方部分に、表面側に突出する突起部（４）を設け、本体（２）の裏面側に、上記突起部（４）と係合する係合部（６）を設け、所定のハンガーの突起部（４）と他のハンガーの係合部（６）とを係合させることによって両ハンガーが前後方向に連結されるハンガー。
【請求項２】
突起部（４）の本体（２）に対する高さ位置と、係合部（６）の本体（２）に対する高さ位置とが同一である請求項１のハンガー。
【請求項３】
本体（２）側に、首又は襟周りに巻かれる布地からなる装身具を係止するタイハンガー（８）を一体的に設けた請求項１又は２のハンガー。
【請求項４】
アーム（７）と本体（２）との間に、本体（２）に対するアーム（７）の取り付け位置を左右方向に調節する調節具を設けた請求項１又は２又は３のハンガー
【請求項５】
アーム（７）が本体（２）に対して折り畳み可能に取り付けられた請求項１又は２又は３又は４のハンガー
【請求項６】
少なくとも請求項１又は２又は３又は４又は５のハンガー（１）と、ボトムを掛けることができるボトム用ハンガー（４１）とを含み、上記ハンガー（１）にボトム用ハンガー（４１）を係止する係止部（１４）を設け、ボトム用ハンガー（４１）が、上記係止部（１４）への係止状態において、上記ハンガー（１）に掛けられたトップスに対して、ボトム用ハンガー（４１）に掛けられたボトムを着衣状態の位置に配置するハンガーセット。
【請求項７】
ボトム用ハンガー（４１）に、ベルトを係止するベルト係止部（４７）を設けた請求項６のハンガーセット。
【請求項８】
係止部（１４）が、ボトム用ハンガー（４１）に設けられたフック（４３）の係止が可能な孔からなる請求項６又は７のハンガーセット。
【発明の詳細な説明】
【技術分野】
【０００１】
本発明は、衣服を掛けるハンガーと該ハンガーを含むハンガーセットに関する。
【背景技術】
【０００２】
従来衣服吊り用の左右に突出するアームを備えた本体からなり、他のハンガーのフック部の係止が可能な係止部を本体に設けたハンガーが公知となっている（例えば特許文献１及び特許文献２参照）。
【０００３】
上記ハンガーにトップス、例えばジャケットを掛ける場合、シャツを掛けたハンガーを、係止部によってジャケットを掛けたハンガーに係止すると、ジャケットの中にシャツが配置され、衣服の組み合わせ状態（コーディネイト）をハンガーに吊るして確認することが可能となる。
【特許文献１】特開２００４−２４８９５３号公報
【特許文献２】特開２００２−１３６４１５号公報
【発明の開示】
【発明が解決しようとする課題】
【０００４】
上記ハンガーの係止部はリング状をなし、下方側のハンガーのフック部を通すような構造となっている。このため、下方側のハンガーの係止が容易ではないという欠点があった。また係止部となるリングが本体部の下方に配置されているため、下方側のハンガーの位置が上方側のハンガーに対して下方過ぎるため、両ハンガーの肩の位置が合わず、トップスにおけるインナー（上記ジャケットとシャツの場合であればシャツ）が、アウター（上記ジャケットとシャツの場合であればジャケット）に対して下方側に寄り、シャツとジャケットの位置関係が不自然となり、リアルなコーディネイト状態を再現できないという欠点があった。
【課題を解決するための手段】
【０００５】
上記課題を解決するための本発明のハンガーは、衣服吊り用の左右に突出するアーム７を備えた本体２からなり、トップスを掛けることができるハンガーにおいて、本体２の上方部分に、表面側に突出する突起部４を設け、本体２の裏面側に、上記突起部４と係合する係合部６を設け、所定のハンガーの突起部４と他のハンガーの係合部６とを係合させることによって両ハンガーが前後方向に連結されることを第１の特徴としている。
【０００６】
第２に突起部４の本体２に対する高さ位置と、係合部６の本体２に対する高さ位置とが同一であることを特徴としている。
【０００７】
第３に、本体２側に、首又は襟周りに巻かれる布地からなる装身具を係止するタイハンガー８を一体的に設けたことを特徴としている。
【０００８】
第４にアーム７と本体２との間に、本体２に対するアーム７の取り付け位置を左右方向に調節する調節具を設けたことを特徴としている。
【０００９】
第５にアーム７が本体２に対して折り畳み可能に取り付けられたことを特徴としている。
【００１０】
一方本発明のハンガーセットは、少なくとも請求項１又は２又は３又は４又は５のハンガー１と、ボトムを掛けることができるボトム用ハンガー４１とを含み、上記ハンガー１にボトム用ハンガー４１を係止する係止部１４を設け、ボトム用ハンガー４１が、上記係止部１４への係止状態において、上記ハンガー１に掛けられたトップスに対して、ボトム用ハンガー４１に掛けられたボトムを着衣状態の位置に配置することを第１の特徴としている。
【００１１】
第２にボトム用ハンガー４１に、ベルトを係止するベルト係止部４７を設けたことを特徴としている。
【００１２】
第３に係止部１４が、ボトム用ハンガー４１に設けられたフック４３の係止が可能な孔からなることを特徴としている。
【発明の効果】
【００１３】
以上のように構成される本発明の構造によると、ハンガーのフックを使用することなく、２つのハンガーを突起部と係合部とによって前後に簡単に連結することができる。特に突起部の本体に対する高さ位置と、係合部の本体に対する高さ位置とを同一にすることにより、連結される両ハンガーのアームの高さ位置が概ね揃う。これにより肩の高さ位置を概ね揃えた状態で、シャツ・ブラウス・ジャケット等の上半身に着用する衣服であるトップスを前後に複数掛けることができる。
【００１４】
また前方側のハンガーに、シャツやブラウス等のインナーを掛け、後方側のハンガーにジャケット等のアウターを掛け、ジャケットの前身頃をシャツ等の前身頃より前に羽織らせることによって、両ハンガーに掛けられたジャケットとシャツ等とは高さ位置、つまり肩の位置が概ね揃うとともに、ジャケットの後身頃から前身頃までの前後の奥行き距離が比較的大きくなり、実際に人がシャツの上にジャケットを羽織っている状態をシミュレートしながら各々ハンガーに掛けられる。
【００１５】
上記のように連結された２つの本ハンガーにインナー（シャツ等）とアウター（ジャケット等）とを掛け、実際に人がジャケットを着た状態をよりリアルにシミュレートすることによって、よりリアルにインナーとアウターとのコーディネイトを確認することができる。
【００１６】
なお首又は襟周りに巻かれる布地からなる装身具、例えばネクタイやハンガー、ストール等を係止するタイハンガーを本体側に一体的に設けることによって、ネクタイ，ハンガー，ストール等を含めたコーディネイトを確認することができる。
【００１７】
またアームと本体との間に、本体に対するアームの取り付け位置を左右方向に調節する調節具を設けることによって、ハンガーのサイズを調節することが可能となる。アームの取り付け位置調節によって、サイズの異なるハンガーを予め複数種類用意することなく、ハンガーのサイズを拡縮し、様々なサイズのトップスを掛けることが可能となる。アームを本体に対して折り畳み可能に取り付けることによって、使用しない場合アームを折り畳み本ハンガーをコンパクトに収納することができる。
【００１８】
一方上記ハンガーと、ボトムを掛けることができるボトム用ハンガーとを含み、前記ハンガーにボトム用ハンガーを係止する係止部を設け、ボトム用ハンガーが、上記係止部への係止状態において、上記ハンガーに掛けられたトップスに対して、ボトム用ハンガーに掛けられたボトムを着衣状態の位置に配置するハンガーセットの場合、前述のハンガー単体によるトップス側のコーディネイトの確認に加え、ボトムまでを対象としたコーディネイトの確認を行うことができる。
【００１９】
コーディネイトの確認をよりリアルに行うことができ、特にボトム用ハンガーに、ベルトを係止するベルト係止部を設けることによって、ベルトまで含めたトータルコーディネイトの確認をリアルに行うことが可能となる。上記ハンガーにおける係止部を、ボトム用ハンガーに設けられたフックの係止が可能な孔から構成することによって、ボトム用ハンガーをトップスが掛けられるハンガーに対して容易にセットすることができる。
【発明を実施するための最良の形態】
【００２０】
図１は、本発明のハンガー１の正面斜視図である。本ハンガー１は、上下方向に延出した本体２と、該本体２の上端部分に設けられるフック３と、本体２の表面側に突出するフロントバーフック（以下Ｆバーフック）４と、本体２の裏面側に突出するリヤバーフック（以下Ｒバーフック）６と、本体２に取り付けられ、左右方向に突出するアーム７と該アーム７の下方位置において本体に取り付けられるタイハンガー８とを備えている。
【００２１】
図２はフック３が取り付けられた本体２の正面斜視図である。フック３は本体２の上端面から上方に向かって突出するように取り付けられている。本体２の表面における上方位置には、Ｆバーフック４及びＲバーフック６の取付け用の取付孔９が形成されている。該取付孔９は、本体２の表面から裏面側に貫通する。
【００２２】
本体２には、取付孔９の下方にアーム７の取付け用のアーム取付部１１が、左右方向に突出して形成されている。本体２におけるアーム取付部１１の下方位置には、左右両端面に、タイハンガー８の取り付け用の切り欠き状の取付部１２が形成されている。
【００２３】
両取付部１２の間（タイハンガー８に対向する位置）には、本体２の表面に凹状に窪んだ窪み部１３が設けられている。窪み部１３の下方には、他のハンガー等を係止するための長孔１４が上下方向に複数設けられている。
【００２４】
左右のアーム取付部１１には、アーム７の取付け用の長孔１６が形成されている。両長孔１６は、外端側が下方を向くように傾斜している。各長孔１６の下方には、アーム取付部１１に取り付けられるアーム７を下方から受け止めるアーム支持部１７が表面側に突出して設けられている。アーム支持部１７は、上記長孔１６と略平行に傾斜している。アーム支持部１７の上面にはアーム７を位置決めするための複数の孔１８が設けられている。
【００２５】
左右のアーム７は互いに左右対称形状である。図３は一方（右側）のアーム７の斜視図である。アーム７は、基端部に対して先端側が下がるように滑らかに湾曲したウィング形状をなす。アーム７の基端部には、本体２（アーム取付部１１）への取付け用の孔２１が形成されている。アーム７には、下端縁から下方に突出する位置決め突起２２が設けられている。アーム７の上端面には窪み２３が形成されている。
【００２６】
図４に示されるように、ピン２４をアーム７の上記取付け用の孔２１と本体２の長孔１６とに挿入することによって、ピン２４を介してアーム７が本体２（アーム取付部１１）に回動自在に軸支される。なお図４は、アーム７の取付け用の孔２１と本体２（アーム取付部１１）の長孔１６部分のみを断面とした側断面図となっている。
【００２７】
ピン２４には、本体２の裏面側において抜け止めのヘッド２６が取り付けられる。上記のようにピン２４を介してアーム７を本体２に取り付けた後、図５に示されるように、ピン２４の位置（アーム７の位置）を長孔１６内においてスライド調節し、アーム７をピン２４を軸心に下方に回動させ、位置決め突起２２をアーム支持部１７のいずれかの孔１８に挿入することによって、アーム７の位置決めが行われる。
【００２８】
アーム支持部１７は、位置決め突起２２の孔１８への挿入状態において、アーム７の下端縁と接してアーム７を支える（図１参照）。位置決め突起２２を挿入する孔１８を変更することによって、本体２に対するアーム７の取付位置が左右方向に変更され、両アーム７の端部間の距離が調節される。アーム支持部１７，孔１８，位置決め突起２２によって、本体２に対するアーム７の取り付け位置を左右方向に調節する調節具が構成されている。
【００２９】
前述のタイハンガー８は、ゲート状のプレートからなる。タイハンガー８は、両端を本体２における取付部１２に嵌めることによって、本体２の表面側に突出するように取り付けられる。タイハンガー８と本体２（窪み部１３）との間には、窪み部１３によってスペースが形成される。
【００３０】
図６に示されるように、前述のＦバーフック４は、中空の筒体２７と、該筒体２７の一端に設けられた大径のヘッド２８とからなる。一方前述のＲバーフック６は、中空の筒体２９と、該筒体２９の一端に設けられた大径のヘッド３１とからなる。
【００３１】
Ｒバーフック６のヘッド３１は所定間隔を介して対向する両端壁３２，３３を備えている。両端壁３２，３３の周縁に沿って周面３４が形成されている。筒体２９は一方の端壁（内壁）３２から突出している。ヘッド３１における筒体２９側の反対側の端壁（外壁）３３と外周面３４は下方が切り取られ、背面視で半円状をなす。ヘッド３１の内壁３２には、所定幅の切欠き３６が形成されている。該切欠き３６の端面から、切欠き３６内に向かって突起３７が突出している。
【００３２】
図６，図７に示されるように、Ｆバーフック４とＲバーフック６の両筒体２７，２９は互いに挿入することができる。本体２の取付孔９にヘッド３１が本体２の裏側に位置するようにＲバーフック６を挿入し、本体２の表側に突出したＲバーフック６の筒部２９とＦバーフック４の筒部２７とを互いに挿入することによって、本体２にＦバーフック４とＲバーフック６とが取り付けられる。
【００３３】
Ｆバーフック４のヘッド２８が、Ｒバーフック６の筒体２９の先端側によって本体２の表側に配置される。Ｒバーフック６のヘッド３１は本体２の裏側に配置される。Ｒバーフック６は切欠き３６の開口部が下方に位置し、外壁３３が上方に位置するように本体２に取り付けられる。
【００３４】
図７に示されるように、Ｒバーフック６のヘッド３１の切欠き３６に吸盤３８を取り付けることができる。吸盤３８は取付け用の突起３８ａを備え、該突起３８ａを切欠き３６に嵌めることによってＲバーフック６（ヘッド３１）に後ろ向きに（吸着面が後方に向いて）取り付けられる。吸盤３８は従来公知の市販品等が使用可能であり、この場合切欠き３６への取付方法も従来公知であるため、詳細な説明は割愛する。
【００３５】
図８に示されるようにＲバーフック６の筒体２９によって本体２の表面側に突出するＦバーフック４のヘッド２８は、本体２の裏面側に設けられるＲバーフック６のヘッド３１（内壁３２と外壁３３との間）に、下方の開口部分から挿入することができる。Ｆバーフック４のヘッド２８をＲバーフック６のヘッド３１に挿入することによって、Ｆバーフック４とＲバーフック６とが係合連結される。
【００３６】
２つの本ハンガー１Ｆ，１Ｒにおいて、一方のハンガー１ＲのＦバーフック４のヘッド２８を、他方のハンガー１ＦのＲバーフック６のヘッド３１に挿入することによって、２つの本ハンガー１Ｆ，１Ｒを連結することができる。Ｆバーフック４がＲバーフック６の筒体２９に取り付けられているため、Ｆバーフック４とＲバーフック６とは、本体２に対する高さ位置が同一となり、上記２つのハンガー１Ｆ，１Ｒは、高さ位置が揃った略平行な状態に連結される。
【００３７】
本ハンガー１は以上のように構成されており、シャツ、ブラウス、ジャケット等の上半身に着用する衣服であるトップスを掛けることができる。図９，図１０に示されるように、左右のアーム７を肩に見立ててジャケットＪやシャツＳが本ハンガー１に掛けられる。本ハンガー１は、フック３によってハンガースタンド等に係止することができる他、Ｒバーフック６に吸盤３８を取り付け、該吸盤３８を壁や鏡面等の所定の平面等に吸着させることによって、壁や鏡面等に取り付けることもできる。
【００３８】
図９，図１０は、前述のように前後に連結された２つのハンガー１の前方側のハンガー１ＦにインナーとなるシャツＳを、後方側のハンガー１ＲにアウターとなるジャケットＪを掛けた状態を示している。ジャケットＪとシャツＳは、ジャケットＪの内側にシャツＳが位置するように、各ハンガー１Ｆ，１Ｒに掛けられる。
【００３９】
前述のように２つのハンガー１Ｆ，１Ｒが連結されると両ハンガー１Ｆ，１Ｒは高さ位置が略揃うため、両ハンガー１Ｆ，１Ｒに掛けられたジャケットＪとシャツＳとは高さ位置、つまり肩の位置が概ね揃い、実際に人がシャツの上にジャケットを羽織っている状態に近い状態となる。
【００４０】
ジャケットＪを後側のハンガー１Ｒに掛け、ジャケットＪの前身頃をシャツＳの前身頃より前に羽織らせると、ジャケットＪの後身頃から前身頃までの前後の奥行き距離が比較的大きく取られ、実際に人がジャケットを着た状態がよりリアルにシミュレートされる。上記のように連結された２つの本ハンガー１Ｆ，１ＲにシャツＳとジャケットＪとを掛けることによって、ジャケットＪとシャツＳとのコーディネイト状態をあたかも人間が着たかのようなリアルな状態で確認することができる。なお両ハンガー１Ｆ，１Ｒに掛けられた衣服（トップス）が、前述のように着衣状態となる程度に、Ｆバーフック４とＲバーフック６の本体２に対する高さ位置を異ならせることもできる。
【００４１】
タイハンガー８にネクタイＴを掛けることによってネクタイＴも含めたコーディネイトを確認することができる。なおタイハンガー８を、ネクタイの他、スカーフやストール等首周りに巻く布地からなる装身具のために使用することもできる。タイハンガー８と窪み部１３により形成されるスペースにより、上記ネクタイ，スカーフ，ストール等を容易に係止することができる。
【００４２】
また女性用のネックレス等をＦバーフック２４に掛け、該ネックレス等を後方側のハンガー１Ｒのアーム７の窪み２３を通過させることによって、ネックレス等を含めたコーディネイトを確認することができる。この場合ネックレスは左右のアーム７の窪み２３の間の幅が維持された状態で、掛けられるため、人がネックレスを掛けた状態をよりリアルにシミュレートすることができる。なおネックレスの他、首周りに掛けるアクセサリ等を利用することもできる。
【００４３】
前述のようにアーム７の本体２に対する左右位置調節によって、両アーム７の端部間の距離（横幅）、つまりハンガー１のサイズを変更し、トップスのサイズに対応させることができる。
【００４４】
両アーム７の間の横幅を拡大することによって大きなサイズ、例えばＬサイズのトップスを掛けることができ、両アーム７の間の横幅を縮小することによって小さなサイズ、例えばＳサイズのトップスを掛けることができる。様々なサイズのトップスを掛けるために、サイズの異なるハンガーを予め複数種類用意する必要がない。
【００４５】
図１１に示されるように、アーム７を上方（フック３側）に向かって回動させると、窪み２３が、本体２の表面側に突出するＲバーフック６の筒部２９に嵌り、折り畳み状態となる。アーム７を上記折り畳み状態として本ハンガー１を収納姿勢とすることによって、本ハンガー１をコンパクトに収納することができる。
【００４６】
上記本ハンガー１の長孔１４に、図１２，図１３に示されるようなボトム用ハンガー４１を連結係止することができる。該ボトム用ハンガー４１は、ハンガー本体４２と、該ハンガー本体４２の上端部分に設けられたフック４３と、上記ハンガー本体４２の下方の杆部４４に設けられたクリップ４６とからなる。
【００４７】
クリップ４６は、表裏一対のクリップ片４６ａ，４６ｂからなる。表側のクリップ片４６ａには、表面側に突出する受け部４７が設けられている。受け部４７と表側のクリップ片４６ａとの間にベルトＢを掛けることができる。両クリップ片４６ａ，４６ｂによって、ズボンやスカート等の下半身に着用する衣服であるボトムをくわえる状態で係止することができる。
【００４８】
ボトム用ハンガー４１の本体４２には、フック４３の基端部近傍に、前述の吸盤３８等を装着するための吸盤装着孔４８が設けられている。図１３に示されるように、吸盤装着孔４８に吸着面を後方に向けて吸盤３８を装着することができる。なお吸盤装着孔４８に装着する吸盤は、吸盤装着孔４８に挿入することが可能なものであればどのようなタイプのものでもよい。
【００４９】
図１４に示されるように、ボトム用ハンガー４１は、フック４３をハンガー１の長孔１４に掛け、ハンガー１に係止することができる。なおボトム用ハンガー４１に吸盤３８を装着し、吸盤３８を壁や鏡面等の所定の平面等に吸着させることによって、ボトム用ハンガー４１を壁や鏡面等に取り付けることもできる。
【００５０】
図１５に示されるように、上記ハンガー１をトップス用ハンガーとし、該ハンガー１にシャツＳやジャケットＪ、ネクタイＴを掛け、ズボンＰ及びベルトＢが掛けられたボトム用ハンガー４１をハンガー１に係止することによって、シャツＳ，ジャケットＪ，ネクタイＴ等のハンガー１に掛けられた衣服やアクセサリーに、ズボンＰとベルトＢを加えたコーディネイトを確認することができる。
【００５１】
トップスは前述のように前後に連結されたハンガー１に掛けられていることが前提であるが、場合によっては１つのハンガー１に掛けてもよい。例えばブラウスにパンツを合わせる場合は、１つのハンガー１に１つのボトム用ハンガー４１を組み合わせて使用することができる。
【００５２】
本体１の長孔１４とボトム用ハンガー４１とは、ボトム用ハンガー４１のフック４３を長孔１４に係止すると、ボトム用ハンガー４１に掛けられたボトムが人間の着衣状態の位置に配置されるように設定されている。微調節はボトム用ハンガー４１を係止する長孔１４を変更することによって行われる。
【００５３】
少なくとも上記ハンガー１とボトム用ハンガー４１とを一組にしてハンガーセットとすることによって、該ハンガーセットを上記のようにアクセサリ等を含むトップスからボトムまでのコーディネイトを確認することが可能となるコーディネイトハンガーセットとすることができる。
【００５４】
上記ハンガーセットを使用することによって、衣服のコーディネイトをリアルに確認することができる。なおハンガーセットに含めるボトム用のハンガーは、上記ボトム用ハンガー４１に限らず、ボトムを係止することができれば他のハンガーを使用することもできる。
【００５５】
上記ハンガーセットに、シューズマット４９を含め、図１５に示されるように、該シューズマット４９をボトム用ハンガー４１の真下に配置し、シューズマット４９に靴５１を載置することによって、アクセサリ等を含むトップスからボトムに加え、靴までのコーディネイトをリアルに確認することができる。
【００５６】
上記シューズマット４９には、図１６に示されるように、４角に折曲げ片５２が設けられている。斜めに対向する折曲げ片５２同士等をホックによって連結することによって、持ち手とすることができる。
【００５７】
例えば靴５１が、屋外で使用済みの場合、シューズマット４９に靴５１を載置し、斜めに対向する折曲げ片５２同士等をホックによって連結して持ち手とすることによって、図１７に示されるように、持ち手によってシューズマット４９で靴５１を容易に移動させることが可能となる。
【００５８】
前述のボトム用ハンガー４１が土足を嫌う室内に設置されている場合、上記のように靴５１を室内に搬送し、室内を汚すことなく靴５１をシューズマット４９の下方に配置することができる。
【００５９】
上記ハンガーセットに、図１５に示されるように、上記ハンガー１に装着できるミラー５３を含めることもできる。図１８に示されるように、ミラー５３は、鏡を備えた鏡ユニット５４と、該鏡ユニット５４の背面側に取り付けられた連結部５６とからなる。
【００６０】
上記連結部５６は、前述のＲバーフック６と同一の構造であり、詳細な説明は割愛する。連結部５６が、Ｒバーフック６と同一の構造であるため、図１９に示されるように、連結部５６をハンガー１の前面側のＦバーフック４のヘッド２８に連結装着することができる。
【００６１】
これによりミラー５３がハンガー１に連結されて取り付けられる。ミラー５３をトップス用ハンガー１に取り付けることによって、上記のようにコーディネイトの確認を行う場合、自分の顔をミラー５３（鏡ユニット５４）に映すことによって、上記コーディネイトを自分の顔を当てはめて確認することができる。
【００６２】
図２０に示されるような吸盤５７にフック５８が取り付けられた吸盤フック５９や、長さ調節可能なベルト６１の先端にフック６２が取り付けられたベルトフック６３を、上記ハンガーセットに含めることもできる。
【００６３】
吸盤フック５９やベルトフック６３を、ハンガー１やボトム用ハンガー４１によって前述のようにコーディネイトされたトップスやトップスとボトム等の近傍に、吸着や係止によって配置し、バッグ等を掛けることによって、バック等を含めたコーディネイトを確認することができる。なお吸盤フック５９やベルトフック６３はバッグ以外に様々な小物等のコーディネイト確認に使用することができる。
【図面の簡単な説明】
【００６４】
【図１】本発明のハンガーの正面斜視図である。
【図２】フックが取り付けられた本体の正面斜視図である。
【図３】右側のアームの正面斜視図である。
【図４】アームの取付け状態を示す主にアームと本体の要部分解側断面図である。
【図５】アームの位置調節状態を示す正面図である。
【図６】前後のバーフックの取付け過程を示す要部分解側断面図である。
【図７】前後のバーフックの取付け状態を示す要部分解側断面図である。
【図８】前後にフックが連結された状態を示す要部側断面図である。
【図９】前後のハンガーにシャツとジャケットとを掛けた状態を示す側面図である。
【図１０】前後のハンガーにシャツとジャケットとを掛けた状態を示す正面図である。
【図１１】収納姿勢の本ハンガーの正面斜視図である。
【図１２】ボトム用ハンガーの正面図である。
【図１３】ボトム用ハンガーの側面図である。
【図１４】ボトム用ハンガーをハンガーに係止した状態を示す正面図である。
【図１５】ハンガーセットにより衣服をコーディネイト確認状態で各ハンガー等に掛けた状態を示す正面図である。
【図１６】折曲げ片を開いた状態と連結した状態のシューズマットの平面図である。
【図１７】折曲げ片を連結した状態のシューズマットの側面図である。
【図１８】ミラーの要部断面斜視図である。
【図１９】ミラーを本体に連結した状態を示す要部側断面図である。
【図２０】（Ａ）は吸盤フックの正面図、（Ｂ）は吸盤フックの右側面図である。
【図２１】（Ａ）はベルトフックの正面図、（Ｂ）はベルトフックの右側面図である。
【符号の説明】
【００６５】
２    本体
４    Ｆバーフック（突起部）
６    Ｒバーフック（係合部）
７    アーム
８    タイハンガー
１４  孔（係止部）
４１  ボトム用ハンガー
４３  フック
４７  受け部（ベルト係止部）
【図１】
2007282742.tif 000003
【図２】
2007282742.tif 000004
【図３】
2007282742.tif 000005
【図４】
2007282742.tif 000006
【図５】
2007282742.tif 000007
【図６】
2007282742.tif 000008
【図７】
2007282742.tif 000009
【図８】
2007282742.tif 000010
【図９】
2007282742.tif 000011
【図１０】
2007282742.tif 000012
【図１１】
2007282742.tif 000013
【図１２】
2007282742.tif 000014
【図１３】
2007282742.tif 000015
【図１４】
2007282742.tif 000016
【図１５】
2007282742.tif 000017
【図１６】
2007282742.tif 000018
【図１７】
2007282742.tif 000019
【図１８】
2007282742.tif 000020
【図１９】
2007282742.tif 000021
【図２０】
2007282742.tif 000022
【図２１】
2007282742.tif 000023